(57)【要約】【課題】  複数歌唱パートを有するカラオケ楽曲を演奏する際に、各歌唱パートの歌唱者と表示装置との相対距離が異なる場合であっても、各歌唱パートの歌唱者と表示装置との相対距離に適した表示サイズで歌詞テロップを表示する。【解決手段】  複数歌唱パートを有するカラオケ楽曲において、各歌唱パートにそれぞれ対応付けられた歌唱者から表示装置２９までの各距離を算出する歌唱者距離算出手段３９と、歌唱者から表示装置２９までの距離と歌詞テロップの表示サイズとを対応付けた歌詞テロップ表示サイズ設定テーブル３４ｃに基づき、単独歌唱パートからなる独唱部では、歌唱者と表示装置２９との距離に対応した表示サイズで、複数歌唱パートからなる合唱部では、各歌唱者と表示装置２９との距離の平均値に対応した表示サイズで、それぞれ歌詞テロップを表示させる歌詞テロップ表示制御手段３８ａと、を備える。【選択図】  図２
2011227158.tif 000002
【特許請求の範囲】
【請求項１】
複数の歌唱パートにより構成されるカラオケ楽曲を演奏する際に、各歌唱パートの歌唱者から表示装置までの距離に応じて、当該表示装置に表示される歌詞テロップの表示サイズを変更可能なシステムであって、
歌唱者距離算出手段と、歌詞テロップ表示制御手段と、を備え、
前記歌唱者距離算出手段は、前記各歌唱パートにそれぞれ対応付けられた歌唱者から前記表示装置までの各距離をそれぞれ算出し、
前記歌詞テロップ表示制御手段は、歌唱者から表示装置までの距離と歌詞テロップの表示サイズとを対応付けた相関テーブル又は相関関数に基づき、前記表示装置に表示される歌詞テロップの表示を制御して、単独の歌唱パートで歌唱する独唱部では、当該歌唱者と前記表示装置との距離に対応した表示サイズで歌詞テロップを表示させ、複数の歌唱パートで歌唱する合唱部では、各歌唱者と前記表示装置との距離の平均値に対応した表示サイズで歌詞テロップを表示させる、
ことを特徴とする歌詞テロップ表示サイズ制御システム。
【請求項２】
前記歌唱者距離算出手段で算出する前記各歌唱パートにそれぞれ対応付けられた歌唱者から前記表示装置までの各距離は、各歌唱パートにそれぞれ対応付けられた歌唱者が使用しているマイクホロンから前記表示装置までの各距離である、
ことを特徴とする請求項１に記載の歌詞テロップ表示サイズ制御システム。
【発明の詳細な説明】
【技術分野】
【０００１】
本発明は、複数の歌唱パートにより構成されるカラオケ楽曲を演奏する際に、各歌唱パートの歌唱者から表示装置までの距離に応じて、当該表示装置に表示される歌詞テロップの表示サイズを変更可能な歌詞テロップ表示サイズ制御システムに関するものである。
【背景技術】
【０００２】
スナックやバーなどでカラオケを楽しむ場合に、ステージが設置されている店舗を除いて、各利用者は着席した位置で歌唱するのが一般的である。通常の場合、店内には大型の表示装置が設置されており、利用者はこの表示装置に背景映像と共に表示される歌詞テロップを見ながら歌唱を行う。しかし、各利用者の着座位置と表示装置との距離は必ずしも同様でなく、表示装置に近い位置に座った歌唱者は間近に歌詞テロップを見ることができる一方、表示装置から遠い位置に座った歌唱者は歌詞テロップを見づらい場合がある。
【０００３】
従来、表示装置に表示される歌詞テロップの大きさを変化させることができるカラオケ装置に関する技術が開示されている（特許文献１参照）。この特許文献１に記載された技術は、マイクロホンから入力される歌唱音声の音圧レベルが基準歌声データよりも小さい場合に、歌唱者にとって歌詞テロップの表示サイズが小さすぎると判断して、歌詞テロップの表示サイズが大きくなるように制御を行う技術である。
【先行技術文献】
【特許文献】
【０００４】
【特許文献１】特開平５−１１７８５号公報
【発明の概要】
【発明が解決しようとする課題】
【０００５】
ところで、デュエット曲のような複数の歌唱パートにより構成されるカラオケ楽曲を歌唱する際に、各パートの歌唱者の着席位置が互いに近ければ、各歌唱者から表示装置までの距離はほぼ同一であり、歌詞テロップの視認状態もほぼ同様である。しかし、各パートの歌唱者が離れて着席している場合には、各歌唱者から表示装置までの距離が大きく異なることがあり、この場合には歌唱者毎に歌詞テロップの視認状態が異なってしまう。すなわち、表示装置から相対的に近い位置に着席している歌唱者にとっては、歌詞テロップの表示サイズが適当である場合であっても、表示装置から相対的に遠い位置に着席している歌唱者にとっては、歌詞テロップの表示サイズが小さすぎて、歌詞テロップを見づらいことがある。一方、歌詞テロップの表示サイズが大きすぎる場合には、カラオケの雰囲気を盛り上げるために表示している背景映像を見づらくさせてしまい、カラオケ本来の楽しさを損なうことになる。
【０００６】
本発明は、上述した事情に鑑み提案されたもので、複数の歌唱パートにより構成されるカラオケ楽曲を演奏する際に、各歌唱パートの歌唱者と表示装置との距離が異なる場合であっても、各歌唱パートの歌唱者と表示装置との距離に適した表示サイズで歌詞テロップを表示することが可能な歌詞テロップ表示サイズ制御システムを提供することを目的とする。
【課題を解決するための手段】
【０００７】
本発明の歌詞テロップ表示サイズ制御システムは、上述した目的を達成するため、以下の特徴点を有している。すなわち、本発明の歌詞テロップ表示サイズ制御システムは、複数の歌唱パートにより構成されるカラオケ楽曲を演奏する際に、各歌唱パートの歌唱者から表示装置までの距離に応じて、当該表示装置に表示される歌詞テロップの表示サイズを変更可能としたシステムであって、歌唱者距離算出手段と、歌詞テロップ表示制御手段と、を備えたことを特徴とするものである。
【０００８】
歌唱者距離算出手段は、各歌唱パートにそれぞれ対応付けられた歌唱者から表示装置までの各距離をそれぞれ算出するための手段である。歌詞テロップ表示制御手段は、歌唱者から表示装置までの距離と歌詞テロップの表示サイズとを対応付けた相関テーブル又は相関関数に基づき、表示装置に表示される歌詞テロップの表示を制御して、単独の歌唱パートで歌唱する独唱部では、当該歌唱者と表示装置との距離に対応した表示サイズで歌詞テロップを表示させ、複数の歌唱パートで歌唱する合唱部では、各歌唱者と表示装置との距離の平均値に対応した表示サイズで歌詞テロップを表示させるための手段である。
【０００９】
このような構成からなる歌詞テロップ表示サイズ制御システムでは、デュエット曲のように複数の歌唱パートにより構成されるカラオケ楽曲を演奏する際に、歌唱者距離算出手段の機能により、各歌唱パート（例えば、男声パート又は女声パート）を歌唱する歌唱者から表示装置までの距離を算出する。また、本発明では、歌唱者から表示装置までの距離と歌詞テロップの表示サイズとを対応付けた相関テーブル又は相関関数を有している。そして、歌詞テロップ表示制御手段の機能により、歌唱パート毎に、各歌唱パートの歌唱者から表示装置までの距離に対応させて、歌詞テロップの表示サイズを変更する。すなわち、単独の歌唱パートで歌唱する独唱部では、当該独唱部を歌唱する歌唱者から表示装置までの距離に対応した表示サイズで歌詞テロップを表示させ、複数の歌唱パートで歌唱する合唱部では、各歌唱者から表示装置までの距離の平均値に対応した表示サイズで歌詞テロップを表示させる。この際、歌唱者から表示装置までの距離が相対的に短い場合には表示サイズを相対的に小さくし、歌唱者から表示装置までの距離が相対的に長い場合には表示サイズを相対的に大きくすればよい。
【００１０】
また、歌唱者距離算出手段で算出する各歌唱パートにそれぞれ対応付けられた歌唱者から表示装置までの各距離は、各歌唱パートにそれぞれ対応付けられた歌唱者が使用しているマイクホロンから表示装置までの各距離として構成することが可能である。
【００１１】
このような構成からなる歌詞テロップ表示サイズ制御システムでは、歌唱パート毎に使用するマイクロホンを予め特定し、歌唱者距離算出手段の機能により、各マイクロホンから表示装置までの距離を算出する。例えば、マイクロホンに電波発信器を内蔵しておき、表示装置の近傍に電波受信器を設置する。そして、電波受信器に入力される電波の受信強度に基づいて、各マイクロホンから表示装置までの距離を算出することができる。また、マイクロホンから発信される音声信号を重畳した搬送波の受信強度に基づいて、各マイクロホンから表示装置までの距離を算出してもよい。すなわち、マイクロホンから発信される電波の受信強度が相対的に強ければマイクロホンから表示装置までの距離が相対的に近いことになり、反対に電波の受信強度が相対的に弱ければマイクロホンから表示装置までの距離が相対的に遠いことになる。
【発明の効果】
【００１２】
本発明の歌詞テロップ表示サイズ制御システムでは、歌唱者から表示装置までの距離が相対的に短い場合には表示サイズを相対的に小さくし、歌唱者から表示装置までの距離が相対的に長い場合には表示サイズを相対的に大きくする等、歌唱者から表示装置までの距離に対応させて、歌詞テロップの表示サイズを変更することができる。さらに、複数の歌唱パートからなるデュエット曲等を複数の歌唱者が歌唱する際に、特に合唱部において合唱する場合に、各歌唱者から表示装置までの距離がそれぞれ異なっていたとしても、適切な表示サイズで歌詞テロップを表示することができる。したがって、複数の歌唱パートからなるデュエット曲等の歌唱者がそれぞれどのような位置にいたとしても、各歌唱者にとって最適な表示サイズで歌詞テロップを表示することで歌詞テロップが見易くなり、デュエット曲等の歌唱を好適に行うことができる。
【００１３】
また、一般的に、歌唱時にはマイクロホンを持って歌唱を行うため、マイクロホンから表示装置までの距離を検出することにより、歌唱者から表示装置までの距離を容易かつ正確に把握することができる。さらに、既存のマイクロホンに歌唱者距離を測定するための装置を組み込むだけで、各歌唱パートを歌唱する歌唱者から表示装置までの距離を算出することができるので、装置構成が複雑とならず、装置の製造コストを低減することが可能となる。
【図面の簡単な説明】
【００１４】
【図１】本発明の第１の実施形態に係る歌詞テロップ表示サイズ制御システムを適用したカラオケシステムの構成を示すブロック図。
【図２】本発明の第１の実施形態に係る歌詞テロップ表示サイズ制御システムにおける制御機能を説明する説明図。
【図３】本発明の第２の実施形態に係る歌詞テロップ表示サイズ制御システムを適用したカラオケシステムの構成を示すブロック図。
【図４】本発明の第２の実施形態に係る歌詞テロップ表示サイズ制御システムにおける制御機能を説明する説明図。
【図５】本発明の実施形態に係る歌詞テロップ表示サイズ制御システムにおける歌唱パート毎の歌詞テロップ表示サイズ制御を説明する説明図。
【図６】歌詞テロップ表示サイズ設定テーブルの説明図。
【図７】歌唱者から表示装置までの距離と歌詞テロップ表示サイズとを対応付けた相関関数の説明図。
【図８】予約待ち行列の説明図。
【発明を実施するための形態】
【００１５】
以下、図面を参照して、本発明の歌詞テロップ表示サイズ制御システムの実施形態について説明する。図１〜図４は本発明の実施形態に係る歌詞テロップ表示サイズ制御システムを示すもので、図１は第１の実施形態に係る歌詞テロップ表示サイズ制御システムを適用したカラオケシステムの構成を示すブロック図、図２は第１の実施形態に係る歌詞テロップ表示サイズ制御機能を説明する説明図、図３は第２の実施形態に係る歌詞テロップ表示サイズ制御システムを適用したカラオケシステムの構成を示すブロック図、図４は第２の実施形態における歌詞テロップ表示サイズ制御機能を説明する説明図である。また、図５は歌唱パート毎の歌詞テロップ表示サイズ制御を説明する説明図、図６は歌詞テロップ表示サイズ設定テーブルの説明図、図７は歌唱者から表示装置までの距離と歌詞テロップ表示サイズとを対応付けた相関関数の説明図、図８は予約待ち行列の説明図である。
【００１６】
＜歌詞テロップ表示サイズ制御システムの概要＞
本発明の実施形態に係る歌詞テロップ表示サイズ制御システムは、複数の歌唱パートにより構成されるカラオケ楽曲を演奏する際に、各歌唱パートにそれぞれ対応付けられた歌唱者から表示装置までの距離に応じて、当該表示装置に表示される歌詞テロップの表示サイズを変更するためのシステムであり、図１又は図３に示すように、カラオケシステム１０に組み込まれている。すなわち、複数の歌唱パートにより構成されるカラオケ楽曲を演奏する際に、歌唱者距離算出手段３９によりマイクロホン（Ａ）２５及びマイクロホン（Ｂ）２６から表示装置２９までの距離をそれぞれ算出し、マイクロホン（Ａ）２５又はマイクロホン（Ｂ）２６を使用する歌唱パートが演奏されると、当該歌唱パートに対応付けられた各マイクロホン（Ａ）２５又はマイクロホン（Ｂ）２６から表示装置２９までの距離に対応した表示サイズとなるように、歌詞テロップの表示制御を行う。
【００１７】
＜カラオケシステム／第１の実施形態＞
本発明の第１の実施形態に係る歌詞テロップ表示サイズ制御システムを適用するカラオケシステム１０は、図１及び図２に示すように、電波発信器２５ａを内蔵したマイクロホン（Ａ）２５と、電波発信器２６ａを内蔵したマイクロホン（Ｂ）２６とを備えており、表示装置２９の近傍に設置された電波受信器２７及び電波受信器２８により、電波発信器２５ａ及び電波発信器２６ａから発信される電波の強度を測定することにより、マイクロホン（Ａ）２５及びマイクロホン（Ｂ）２６から表示装置２９までのそれぞれの距離を算出するようにしたものである。
【００１８】
すなわち、第１の実施形態に係るカラオケシステム１０は、図１及び図２に示すように、カラオケ本体２１、カラオケリモコン装置２２、スピーカ２３、ミキシングアンプ２４、電波発信器２５ａを内蔵したマイクロホン（Ａ）２５、電波発信器２６ａを内蔵したマイクロホン（Ｂ）２６、電波発信器２５ａに対応する電波受信器２７、電波発信器２６ａに対応する電波受信器２８、表示装置２９を備えている。なお、電波受信器２７及び電波受信器２８は、表示装置２９表示装置の近傍に設置されている。
【００１９】
＜カラオケシステム／第２の実施形態＞
本発明の第２の実施形態に係るカラオケシステム１０は、図３及び図４に示すように、ワイヤレス方式のマイクロホン（Ａ）２５及びマイクロホン（Ｂ）２６から発信されて、マイクレシーバ３０により受信される電波（例えば、音声信号を伝送する搬送波）の電波強度を測定することにより、マイクロホン（Ａ）２５及びマイクロホン（Ｂ）２６から表示装置２９までのそれぞれの距離を算出するようにしたものである。
【００２０】
第２の実施形態のカラオケシステム１０は、図３及び図４に示すように、カラオケ本体２１、カラオケリモコン装置２２、スピーカ２３、ミキシングアンプ２４、マイクロホン（Ａ）２５、マイクロホン（Ｂ）２６、表示装置２９、マイクレシーバ３０を備えている。なお、マイクレシーバ３０は、表示装置２９表示装置の近傍に設置されている。
【００２１】
以下、第１の実施形態及び第２の実施形態についてまとめて記載するが、両者で異なる構成要素については、その都度説明を行う。また、以下の説明において、プログラムとはＲＯＭ３２等に記憶されており、ＣＰＵにおいて実行されることにより、その機能を発揮するソフトウエア資源のことを言い、プログラムと同等の機能を発揮することが可能な論理回路を含む概念である。
【００２２】
＜カラオケリモコン装置＞
カラオケリモコン装置２２は、ユーザインタフェース機能を備えており、カラオケ本体２１の送受信手段３５との間で有線方式又は無線方式によりデータの送受信を行うようになっている。このカラオケリモコン装置２２は、楽曲検索手段２２ａとして機能するプログラム、楽曲索引データベース２２ｂ、データの送受信を行うための電子回路及びプログラム、フラッシュメモリ等からなる記憶手段（図示せず）を備えている。このカラオケリモコン装置２２に付帯するスイッチ類や、入出力表示部（図示せず）に表示される各種のアイコン等を操作することにより、選曲操作等が行われる。
【００２３】
＜楽曲検索手段／楽曲索引データベース＞
楽曲検索手段２２ａは、利用者の指示に基づき、楽曲索引データベース２２ｂを参照して楽曲を検索するためのプログラムからなる。楽曲索引データベース２２ｂは、カラオケシステム１０で演奏に供されるカラオケ楽曲について、その属性情報を記述したデータベースであり、例えば、楽曲番号・曲名・歌手名・歌い出し部分の歌詞・流行時期・音楽ジャンル区分・デュエット曲か否かなど、種々の属性情報がこれに含まれている。
【００２４】
＜マイクロホン＞
マイクロホン（Ａ）２５及びマイクロホン（Ｂ）２６は、歌唱音声の入力を行うための装置である。第１の実施形態のマイクロホン（Ａ）２５及びマイクロホン（Ｂ）２６は、歌唱者の位置（マイクロホンの位置）から表示装置２９までの距離算出に使用するための電波発信器２５ａ，２６ａがそれぞれ内蔵されている。また、表示装置２９の近傍には、各電波発信器２５ａ，２６ａから発信された電波をそれぞれ受信するための電波受信器２７，２８が設置されている。第１の実施形態では、図１及び図２に示すように、各電波発信器２５ａ，２６ａに対応した各電波受信器２７，２８における電波の受信強度に基づいて、マイクロホン（Ａ）２５及びマイクロホン（Ｂ）２６から表示装置２９までの距離を算出するようになっている。この場合、各電波発信器２５ａ，２６ａ及び各電波受信器２７，２８でそれぞれ使用する電波の周波数帯域を異ならせることにより、マイクロホン（Ａ）２５及びマイクロホン（Ｂ）２６を識別することができる。
【００２５】
また、第２の実施形態では、図３及び図４に示すように、ワイヤレス方式のマイクロホン（Ａ）２５及びマイクロホン（Ｂ）２６を使用しており、搬送波により音声信号を変調して伝送するようになっている。また、表示装置２９の近傍には、マイクレシーバ３０が設置されている。そして、マイクレシーバ３０により音声信号が重畳された搬送波を受信することにより、マイクロホン（Ａ）２５及びマイクロホン（Ｂ）２６から入力された音声信号をミキシングアンプ２４に出力する。第２の実施形態では、マイクロホン（Ａ）２５及びマイクロホン（Ｂ）２６から発信され、マイクレシーバ３０で受信される電波の受信強度に基づいて、マイクロホン（Ａ）２５及びマイクロホン（Ｂ）２６から表示装置２９までの距離をそれぞれ算出するようになっている。この場合、マイクロホン（Ａ）２５及びマイクロホン（Ｂ）２６の搬送波の周波数帯域をそれぞれ異ならせることにより、マイクロホン（Ａ）２５及びマイクロホン（Ｂ）２６を識別することができる。
【００２６】
なお、いずれの実施形態においても、マイクロホンの数は２本に限られず、３本以上であってもよい。この場合には、各マイクロホンに内蔵された電波発信器にそれぞれ対応させて電波受信器を設置し、あるいは各マイクロホンの搬送波の周波数帯域をそれぞれ異ならせる。
【００２７】
＜カラオケ本体＞
カラオケ本体２１は、中央制御手段３１、ＲＯＭ３２、ＲＡＭ３３、ＨＤＤ３４、送受信手段３５、予約管理手段３６、音楽再生制御手段３７、映像再生制御手段３８、歌唱者距離算出手段３９を備えている。
【００２８】
＜中央制御手段＞
中央制御手段３１は、カラオケ本体２１を総合的に制御するための手段であり、例えばＣＰＵ及びその周辺機器により構成されており、ＣＰＵ等がＲＯＭ３２等に記憶されたプログラムに従って動作することにより、制御機能を発揮することができるようになっている。
【００２９】
＜ＲＯＭ／ＲＡＭ＞
ＲＯＭ３２は、カラオケ本体２１を構成する各機器を制御するためのプログラムデータや数値データを記憶するための機器で、例えば半導体メモリ等で構成される。また、ＲＡＭ３３は、プログラムや各種データを一時的に記憶する一時記憶領域として機能するもので、例えば半導体メモリ等で構成される。なお、物理的な半導体メモリによりＲＡＭ３３を構成するのではなく、ハードディスク記憶装置等を用いて仮想的なＲＡＭ３３を構成してもよい。本実施形態では、ＲＡＭ３３に、予約待ち行列３３ａが記憶されるようになっている。
【００３０】
＜予約待ち行列＞
予約待ち行列３３ａは、図８に示すように、選曲予約されたカラオケ楽曲について、演奏順に楽曲ＩＤを並べて構成されており、デュエット曲のように複数の歌唱パートにより構成されるカラオケ楽曲の場合には、各歌唱パートに対してマイクロホン（Ａ）２５又はマイクロホン（Ｂ）２６が紐付けられている。なお、選曲者の利用者ＩＤを取得して、利用者ＩＤを予約待ち行列３３ａの構成要素として付加してもよい。この場合には、カラオケリモコン装置２２に利用者ＩＤを取得するための手段を付加して、選曲予約時に利用者ＩＤを取得するようにすればよい。なお、デュエット曲が演奏される際に、各歌唱パートと対応するマイクロホン（Ａ）２５又はマイクロホン（Ｂ）２６との関係を表示装置２９の表示画面に表示することにより、利用者に対して各マイクロホンと歌唱パートの対応関係を報知することができる。
【００３１】
＜ＨＤＤ＞
ＨＤＤ３４は、大容量記憶装置として機能するもので、楽曲データベース３４ａ、映像データベース３４ｂ、歌詞テロップ表示サイズ設定テーブル３４ｃが格納されている。なお、ＨＤＤ３４に替えて、あるいはＨＤＤ３４と共に、データを書き替え可能なＤＶＤ等の大容量記憶装置を用いてもよい。
【００３２】
＜楽曲データベース／映像データベース＞
楽曲データベース３４ａは、演奏データ（ＭＩＤＩ（登録商標）データ）及び歌詞描出データが同期されて構成される楽曲データについて、楽曲ＩＤと対応付けてそれぞれ構成されたデータベースである。演奏データは各楽曲の演奏データをデジタル化したものであり、歌詞描出データは演奏に同期した歌詞文字の表示タイミングデータ及び色変わりデータを含んでいる。映像データベース３４ｂは、演奏されるカラオケ楽曲に対応した背景映像を、当該カラオケ楽曲の楽曲ＩＤに対応させた映像ファイルとして所定数格納したデータベースである。歌詞テロップ表示サイズ設定テーブル３４ｃについては、後に詳述する。
【００３３】
＜送受信手段＞
送受信手段３５は、カラオケ本体２１とカラオケリモコン装置２２との間で、データの送受信を行うための電子回路及びプログラムからなる。本実施形態では、赤外線通信により、カラオケ本体２１とカラオケリモコン装置２２との間でデータの送受信が行われる。
【００３４】
＜予約管理手段＞
予約管理手段３６は、利用者により楽曲検索手段２２ａの機能を用いて選曲された楽曲ＩＤを演奏順に並べて演奏予約待ち行列３３ａを生成し、この予約待ち行列３３ａをＲＡＭ３３に格納して管理するためのプログラムからなる。
【００３５】
＜歌唱者距離算出手段＞
歌唱者距離算出手段３９は、複数の歌唱パートにより構成されるカラオケ楽曲を演奏する際に、当該カラオケ楽曲を歌唱する各歌唱者から表示装置２９までの距離をそれぞれ算出するためのプログラムからなる。第１の実施形態の歌唱者距離算出手段３９は、マイクロホン（Ａ）２５及びマイクロホン（Ｂ）２６の各電波発信器２５ａ，２６ａに対応した電波受信器２７，２８における電波の受信強度に基づいて、マイクロホン（Ａ）２５及びマイクロホン（Ｂ）２６から表示装置２９までの距離をそれぞれ算出する。また、第２の実施形態の歌唱者距離算出手段３９は、マイクロホン（Ａ）２５及びマイクロホン（Ｂ）２６から発信され、マイクレシーバ３０で受信される電波の受信強度に基づいて、マイクロホン（Ａ）２５及びマイクロホン（Ｂ）２６から表示装置２９までの距離をそれぞれ算出する。
【００３６】
すなわち、表示装置２９の近傍に、マイクロホン（Ａ）２５及びマイクロホン（Ｂ）２６から発信される電波を受信するための受信装置を設置した場合には、当該受信装置における電波の受信強度と、マイクロホン（Ａ）２５及びマイクロホン（Ｂ）２６から表示装置２９までの距離には相対関係があり、電波の受信強度が相対的に強ければ、マイクロホン（Ａ）２５及びマイクロホン（Ｂ）２６から表示装置２９までの距離が相対的に近いことになり、反対に電波の受信強度が相対的に弱ければ、マイクロホン（Ａ）２５及びマイクロホン（Ｂ）２６から表示装置２９までの距離が相対的に遠いことになる。したがって、電波の受信強度と、マイクロホン（Ａ）２５及びマイクロホン（Ｂ）２６から表示装置２９までの距離との相関関係を予めリスト化しておけば、電波の受信強度に基づいてマイクロホン（Ａ）２５及びマイクロホン（Ｂ）２６から表示装置２９までの距離を推定することができる。
【００３７】
なお、歌唱者距離算出手段３９は上述した構成に限られず、レーザ距離計や、超音波の反射を利用して物体間距離を測定する超音波距離計等、公知の距離計測手段からの計測データを取得して各歌唱者から表示装置２９までの距離をそれぞれ算出する構成としてもよい。
【００３８】
＜音楽再生制御手段＞
音楽再生制御手段３７は、楽曲ＩＤに基づいて楽曲データベース３４ａから抽出された演奏データをデジタル再生すると共にアナログ変換してミキシングアンプ２４に出力するための電子回路である。ミキシングアンプ２４は、マイクロホン（Ａ）２５及びマイクロホン（Ｂ）２６からそれぞれ入力された歌唱者の歌唱音声信号と、音楽再生制御手段３７から送出される演奏音声信号とをミキシングすると共に、アンプ機能により増幅してスピーカ２３より出力させるための装置である。なお、第２の実施形態では、ワイヤレスマイクを使用しているため、マイクロホン（Ａ）２５及びマイクロホン（Ｂ）２６からの歌唱音声信号は、マイクレシーバ３０を介してミキシングアンプ２４に入力される。
【００３９】
＜映像再生制御手段＞
映像再生制御手段３８は、カラオケ楽曲の演奏中に、映像データベース３４ｂから抽出した映像データ及び楽曲データベース３４ａから抽出した楽曲データのうちの歌詞テロップデータ（歌詞文字データ）を、当該カラオケ楽曲の演奏データに同期させて表示装置２９に出力するためのプログラムからなり、本実施形態では、歌詞テロップデータ（歌詞文字データ）の表示サイズを制御するための歌詞テロップ表示制御手段３８ａを備えている。
【００４０】
＜歌詞テロップ表示制御手段＞
歌詞テロップ表示制御手段３８ａは、歌唱者（具体的には、歌唱者が使用するマイクロホン（Ａ）２５及びマイクロホン（Ｂ）２６）から表示装置２９までの距離と歌詞テロップの表示サイズとを対応付けた相関テーブル又は相関関数に基づき、表示装置２９に表示される歌詞テロップの表示を制御して、単独の歌唱パートで歌唱する独唱部では、当該歌唱者と表示装置２９との距離に対応した表示サイズで歌詞テロップを表示させ、複数の歌唱パートで歌唱する合唱部では、各歌唱者と表示装置２９との距離の平均値に対応した表示サイズで歌詞テロップを表示させるためのプログラムからなる。本実施形態では、マイクロホン（Ａ）２５及びマイクロホン（Ｂ）２６から表示装置２９までの各距離を、各マイクロホン（Ａ）２５及びマイクロホン（Ｂ）２６をそれぞれ使用する各歌唱者から表示装置２９までの距離と仮定している。
【００４１】
＜歌詞テロップ表示サイズ設定テーブル／相関関数＞
歌詞テロップ表示制御手段３８ａが参照する歌詞テロップ表示サイズ設定テーブル３４ｃは、ＨＤＤ３４に格納されており（図１参照）、図６に示すように、歌唱者から表示装置２９までの距離と歌詞テロップの表示サイズとを紐付けして構成されている。この歌詞テロップ表示サイズ設定テーブル３４ｃでは、歌唱者から表示装置２９までの距離が相対的に短いと歌詞テロップの表示サイズを相対的に小さくし、歌唱者から表示装置２９までの距離が相対的に長いと歌詞テロップの表示サイズを相対的に大きく設定している。また、歌詞テロップ表示制御手段３８ａが相関関数を参照して歌詞テロップの表示サイズを制御する構成とすることもできる。この相関関数は、歌唱者から表示装置２９までの距離と歌詞テロップの表示サイズとを規定した関数であり、相関関係は図７に示すようになっている。この相関関数は、相関テーブルと同様に、ＨＤＤ３４に格納しておけばよい。
【００４２】
＜表示装置＞
表示装置２９は、カラオケ楽曲に関連した背景映像や歌詞テロップ等を表示するための装置で、例えば、液晶ディスプレイ等により構成される。なお、本実施形態では、店内に１つの表示装置２９が設置されている場合を想定しており、複数の利用者がそれぞれ歌唱する位置から表示装置２９までの距離（各利用者が使用するマイクロホン（Ａ）２５又はマイクロホン（Ｂ）２６から表示装置２９までの距離）がそれぞれ異なっていることを前提としているが、店内に複数の表示装置２９を設置した場合であっても本発明を適用することができる。この場合には、表示装置２９毎にそれぞれ複数のマイクロホンを対応させて設置し、各表示装置２９とこれに対応する各マイクロホンとの位置関係に応じて、歌詞テロップの表示サイズを制御すればよい。
【００４３】
＜歌詞テロップ文字サイズの表示制御＞
次に、図２及び図４〜図６を参照して、本発明の実施形態に係る歌詞テロップ表示サイズ制御システムにおける制御について説明する。以下、本発明の実施形態に係る歌詞テロップ表示サイズ制御システムにおいて、デュエット曲を演奏する際に、マイクロホン（Ａ）２５及びマイクロホン（Ｂ）２６を使用して歌唱を行う場合を想定して説明を行う。
【００４４】
図２に示すように、第１の実施例では、マイクロホン（Ａ）２５から表示装置２９までの距離Ｄａと、マイクロホン（Ｂ）２６から表示装置２９までの距離Ｄｂとを比較すると、マイクロホン（Ｂ）２６の方がマイクロホンＡ（２５）よりも表示装置２９から遠くに存在していることがわかる。また、第２の実施例では、図４に示すように、マイクロホン（Ａ）２５から発信され、表示装置２９の近傍に設置されたマイクレシーバ３０により受信される電波強度と、マイクロホン（Ｂ）２６から発信され、表示装置２９の近傍に設置されたマイクレシーバ３０により受信される電波強度とを比較すると、マイクロホン（Ｂ）２６の方がマイクロホンＡ（２５）よりも電波強度が弱く、マイクロホン（Ｂ）２６の方がマイクロホンＡ（２５）よりも表示装置２９から遠くに存在していることがわかる。
【００４５】
ここで、歌唱者距離算出手段３９の機能により、マイクロホン（Ａ）２５及びマイクロホン（Ｂ）２６から表示装置２９までの距離をそれぞれ算出すると、第１の実施例では、図２に示すように、マイクロホン（Ａ）２５から表示装置２９までの距離Ｄａが２．５ｍであり、マイクロホン（Ｂ）２６から表示装置２９までの距離Ｄｂが５．５ｍであったとする。したがって、マイクロホン（Ａ）２５及びマイクロホン（Ｂ）２６から表示装置２９までの平均距離は４ｍとなる。
【００４６】
同様に、第２の実施例では、図４に示すように、マイクロホン（Ａ）２５から発信される電波の電波強度は「強」であるため、電波強度／距離・相関リストを参照すると、マイクロホン（Ａ）２５から表示装置２９までの距離は３ｍ未満と推定され、マイクロホン（Ｂ）２６から発信される電波の電波強度は「弱」であるため、電波強度／距離・相関リストを参照すると、マイクロホン（Ｂ）２６から表示装置２９までの距離は５ｍ以上であると推定される。したがって、マイクロホン（Ａ）２５及びマイクロホン（Ｂ）２６から発信される電波の電波強度の平均値は「中」となり、その平均距離は３ｍ以上５ｍ未満と推定される。
【００４７】
ここで、歌詞テロップ表示制御手段３８ａの機能により、図６に示す歌詞テロップ表示サイズ設定テーブル３４ｃを参照して、歌詞テロップの表示サイズを決定する。すなわち、各実施形態ともに、図５に示すように、マイクロホン（Ａ）２５を使用するパートａを演奏する場合には、歌詞テロップの表示サイズを「Ｓ（小）」で表示させ、マイクロホン（Ｂ）２６を使用するパートｂを演奏する場合には、歌詞テロップの表示サイズを「Ｌ（大）」で表示させ、マイクロホン２６Ａ及びマイクロホン（Ｂ）２６を使用する合唱部を演奏する場合には、歌詞テロップの表示サイズを「Ｍ（中）」で表示させる。
【００４８】
＜他の実施形態＞
本発明の歌詞テロップ表示サイズ制御システム及びその周辺装置を構成する機器や手段は上述したものに限定されず、その利用目的に応じて、必要な機器や手段のみの構成としたり、適宜他の機器や手段を付加したりすることができる。また、各手段をそれぞれ別個のものとして構成するのではなく、複数の機能を統合した手段として構成してもよい。
【符号の説明】
【００４９】
１０  カラオケシステム
２１  カラオケ本体
２２  カラオケリモコン装置
２２ａ  楽曲検索手段
２２ｂ  楽曲索引データベース
２３  スピーカ
２４  ミキシングアンプ
２５  マイクロホンＡ
２５ａ  電波発信器（マイクロホンＡ内蔵）
２６  マイクロホンＢ
２６ａ  電波発信器（マイクロホンＢ内蔵）
２７  電波受信器（マイクロホンＡ用）
２８  電波受信器（マイクロホンＢ用）
２９  表示装置
３０  マイクレシーバ
３１  中央制御手段
３２  ＲＯＭ
３３  ＲＡＭ
３３ａ  予約待ち行列
３４  ＨＤＤ
３４ａ  楽曲データベース
３４ｂ  映像データベース
３４ｃ  歌詞テロップ表示サイズ設定テーブル
３５  送受信手段
３６  予約管理手段
３７  音楽再生制御手段
３８  映像再生制御手段
３８ａ  歌詞テロップ表示制御手段
３９  歌唱者距離算出手段
【図１】
2011227158.tif 000003
【図２】
2011227158.tif 000004
【図３】
2011227158.tif 000005
【図４】
2011227158.tif 000006
【図５】
2011227158.tif 000007
【図６】
2011227158.tif 000008
【図７】
2011227158.tif 000009
【図８】
2011227158.tif 000010